(57)【要約】【課題】小型化を図りつつ、画像光を反射可能な反射部を備えるプロジェクターを提供する。【解決手段】プロジェクター１は、投写レンズ３６を収納し、画像光が通過する投写用開口部２１１を有する外装筐体２と、投写用開口部２１１を開閉する開閉部５と、開閉部５に移動可能に支持され、投写レンズ３６から射出された画像光を反射する反射部６と、を備えている。【選択図】図５
2011145367.tif 000002
【特許請求の範囲】
【請求項１】
光源から射出された光束を画像情報に応じて変調して画像光を形成し、前記画像光を投写レンズにて拡大投写するプロジェクターであって、
前記投写レンズを収納し、前記画像光が通過する投写用開口部を有する外装筐体と、
前記投写用開口部を開閉する開閉部と、
前記開閉部に移動可能に支持され、前記投写レンズから射出された前記画像光を反射する反射部と、
を備えることを特徴とするプロジェクター。
【請求項２】
請求項１に記載のプロジェクターであって、
前記反射部は、前記開閉部の内面に沿って前記投写レンズから射出される前記画像光の方向に対して交差する方向に移動可能に支持されていることを特徴とするプロジェクター。
【請求項３】
請求項１に記載のプロジェクターであって、
前記反射部は、前記投写用開口部が開放された際に、前記開閉部から離間して前記投写レンズに近接する方向に移動可能に支持されていることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、この画像光を投写レンズにて拡大投写するプロジェクターが知られている。このプロジェクターには、投写レンズから射出された画像光（以下「投写画像光」という）を反射する反射ミラーを備え、プロジェクターの設置姿勢を変えずに投写画像光の方向を変更可能に構成されたものが知られている（例えば、特許文献１参照）。
【０００３】
特許文献１に記載のプロジェクターは、スライドベースとミラーとの連結体、および連結体を収納するポケット部が形成された外装筐体を備えている。ポケット部は、プロジェクターが机上等に設置された据置き姿勢において、投写レンズの下方に設けられている。ミラーは、スライドベースに対して角度可変に取り付けられ、連結体は、ポケット部にスライド移動されることによって、ポケット部への出し入れが行われるように構成されている。そして、据置き姿勢において、投写画像光の方向を変更して天井等に投写する際には、連結体をポケット部から引き出した後、ミラーを起立させることで投写画像光をミラーにて反射するようになっている。
【先行技術文献】
【特許文献】
【０００４】
【特許文献１】特開２００６−４７５９５号公報
【発明の概要】
【発明が解決しようとする課題】
【０００５】
多くのプロジェクターは、据置き姿勢においてあおり投写、つまり投写画像光が上方に向かって射出されるように構成されている。しかしながら、特許文献１に記載のプロジェクターは、投写画像光を確実に反射するため、ミラーのサイズが大きくなったり、ミラーが上方に大きく突出したりすることが考えられる。ミラーのサイズが大きくなったり、ミラーが上方に大きく突出したりすると、連結体を収納するポケット部の奥行きが深くなり、製品サイズが大きくなるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調して画像光を形成し、前記画像光を投写レンズにて拡大投写するプロジェクターであって、前記投写レンズを収納し、前記画像光が通過する投写用開口部を有する外装筐体と、前記投写用開口部を開閉する開閉部と、前記開閉部に移動可能に支持され、前記投写レンズから射出された前記画像光を反射する反射部と、を備えることを特徴とする。
【０００８】
この構成によれば、投写用開口部を開閉する開閉部には、反射部が移動可能に支持されている。これによって、投写用開口部を閉塞する状態（閉塞状態）と開放する状態（開放状態）とで、開閉部に対する反射部の位置を変更することができる。そして、閉塞状態においては、反射部をコンパクトに収納し、開放状態においては、投写画像光に合わせて反射部を移動し、反射部のサイズを有効に利用して投写画像光の方向を変更するように構成できる。よって、プロジェクターは、効率的なサイズの反射部を備え、設置姿勢が変更されることなく複数の方向に画像光を投写することができる。したがって、薄型化や小型化が図られつつ用途が広がるプロジェクターの提供が可能となる。
【０００９】
［適用例２］上記適用例に係るプロジェクターにおいて、前記反射部は、前記開閉部の内面に沿って前記投写レンズから射出される前記画像光の方向に対して交差する方向に移動可能に支持されていることが好ましい。
【００１０】
この構成によれば、反射部は、開閉部の内面に沿って投写レンズから射出される画像光（投写画像光）の方向に対して交差する方向に移動可能になっている。例えば、プロジェクターが据置き姿勢で鉛直方向に対して交差する方向に投写画像光を射出する場合、反射部を投写画像光の方向と交差するように移動させることで、反射部の位置を容易に投写画像光に合わせ、投写画像光を欠くことなく反射させることが可能となる。
【００１１】
［適用例３］上記適用例に係るプロジェクターにおいて、前記反射部は、前記投写用開口部が開放された際に、前記開閉部から離間して前記投写レンズに近接する方向に移動可能に支持されていることが好ましい。
【００１２】
投写画像光は、投写レンズから離れるに従って拡大されるので、反射部は、投写レンズに近いほど小さなサイズで投写画像光を反射することが可能となる。この構成によれば、反射部は、開放状態において、投写レンズに近接する方向に移動可能となっているので、より小さなサイズで投写画像光を反射できる。よって、反射部の小型化、ひいてはプロジェクターの小型化がさらに図れる。
【図面の簡単な説明】
【００１３】
【図１】第１実施形態のプロジェクターの外観を示す斜視図。
【図２】第１実施形態のプロジェクターの概略構成を示す模式図。
【図３】第１実施形態の開閉部および反射部を模式的に示す平面図。
【図４】第１実施形態の閉塞状態におけるプロジェクターを示す断面図。
【図５】第１実施形態の反射状態におけるプロジェクターを示す断面図。
【図６】第１実施形態の非反射状態におけるプロジェクターを示す断面図。
【図７】第２実施形態の反射状態におけるプロジェクターを示す断面図。
【図８】第２実施形態の開閉部および反射部を模式的に示す平面図。
【図９】第２実施形態の閉塞状態におけるプロジェクターを示す断面図。
【発明を実施するための形態】
【００１４】
（第１実施形態）
以下、第１実施形態に係るプロジェクターについて、図面を参照して説明する。
本実施形態のプロジェクターは、光源から射出された光束を画像情報に応じて変調して画像光を形成し、その画像光をスクリーン等に拡大投写する。
図１は、本実施形態のプロジェクターの外観を示す斜視図である。図２は、本実施形態のプロジェクターの概略構成を示す模式図である。
【００１５】
プロジェクター１は、図１、図２に示すように、外装を構成する外装筐体２、制御部（図示省略）、光源装置３１を有する光学ユニット３、光源装置３１や制御部に電力を供給する電源装置４、開閉部５、反射部６および外装筐体２内を冷却する冷却ファン（図示省略）等を備えている。なお、以下では、説明の便宜上、光源装置３１から光束が射出される方向を＋Ｘ方向、投写レンズ３６から画像光が投写される方向を＋Ｙ方向（前方向）、Ｘ方向およびＹ方向に直交し、図１の図面視における上を＋Ｚ方向（上方向）として記載する。
【００１６】
外装筐体２は、合成樹脂製であり、図１に示すように、前面２Ｆには、上下方向に沿って窪む凹部２１が形成され、凹部２１の前面には、前方から見て略円形の開口部（投写用開口部２１１）が形成されている。この投写用開口部２１１の内側には、光学ユニット３に備えられた投写レンズ３６が配置されている。そして、投写レンズ３６から射出された画像光（投写画像光）は、この投写用開口部２１１を通過して前方に投写される。
【００１７】
外装筐体２の上面２Ｔには、操作パネル２０が配置されている。操作パネル２０は、プロジェクター１の各種設定を行うためのメニュー画像の表示／非表示を切り替えるメニューキー、および入力ソースを切り替えるソース切替えキー等、各種指示を行うための複数のキー等を備えている。
図示は省略するが、外装筐体２には、外気を取り込むための吸気口や、外装筐体２内の温まった空気を外部に排出するための排気口等が設けられている。
【００１８】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００１９】
光学ユニット３は、制御部による制御の下、光源装置３１から射出された光束を光学的に処理し、画像情報に応じた画像光を形成して投写する。
光学ユニット３は、図２に示すように、光源装置３１に加え、照明光学装置３２、色分離光学装置３３、リレー光学装置３４、電気光学装置３５、投写レンズ３６、およびこれらの光学部品３１〜３６を光路上の所定位置に配置する光学部品用筐体３７を備える。
【００２０】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２１】
照明光学装置３２は、第１レンズアレイ３２１、第２レンズアレイ３２２、偏光変換素子３２３、および重畳レンズ３２４を備える。
第１レンズアレイ３２１は、光軸方向から見て外形形状が略矩形に形成され、マトリックス状に配列された小レンズを有して構成されており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶パネル３５２の表面に略重畳させる。偏光変換素子３２３は、第２レンズアレイ３２２から射出されたランダム偏光光を液晶パネル３５２で利用可能な略１種類の偏光光に揃える機能を有する。
【００２２】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２３】
リレー光学装置３４は、入射側レンズ３４１、リレーレンズ３４３、および反射ミラー３４２，３４４を備え、色分離光学装置３３で分離されたＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００２４】
電気光学装置３５は、入射側偏光板３５１、光変調素子としての液晶パネル３５２、射出側偏光板３５３、色合成光学装置としてクロスダイクロイックプリズム３５４を備え、色分離光学装置３３で分離された各色光を画像情報に応じて変調し、画像光を形成する。
入射側偏光板３５１は、３色の色光毎に備えられており、色分離光学装置３３で分離された各色光のうち、偏光変換素子３２３で揃えられた偏光光を透過し、その偏光光と異なる偏光光を吸収して液晶パネル３５２に射出する。
【００２５】
液晶パネル３５２は、３色の色光毎に備えられており（Ｒ光用の液晶パネルを３５２Ｒ、Ｇ光用の液晶パネルを３５２Ｇ、Ｂ光用の液晶パネルを３５２Ｂとする）、入射側偏光板３５１から射出された光束を変調する。
射出側偏光板３５３は、入射側偏光板３５１と略同様の機能を有し、液晶パネル３５２から射出された光束のうち一定方向の偏光光を透過し、その他の光束を吸収する。
【００２６】
クロスダイクロイックプリズム３５４は、４つの直角プリズムを貼り合わせた平面視略正方形状をなし、直角プリズム同士を貼り合わせた界面には、２つの誘電体多層膜が形成されている。誘電体多層膜は、液晶パネル３５２Ｒ，３５２Ｂにて変調され、射出側偏光板３５３を介して射出された色光を反射し、液晶パネル３５２Ｇにて変調され、射出側偏光板３５３を介して射出された色光を透過する。このように、電気光学装置３５は、各液晶パネル３５２にて変調された各色光をクロスダイクロイックプリズム３５４が合成して画像光を形成する。
【００２７】
投写レンズ３６は、複数のレンズを組み合わせた組レンズとして構成され、電気光学装置３５にて形成された画像光をスクリーン上に拡大投写する。投写レンズ３６は、ネジ等によって光学部品用筐体３７に取り付けられる。
【００２８】
開閉部５は、外装筐体２の凹部２１に回転可能に配置され、投写用開口部２１１を開閉する。そして、開閉部５は、投写用開口部２１１を閉塞する閉塞状態では、外面５Ａが外装筐体２の前面２Ｆに倣い、先端面５Ｃが外装筐体２の上面２Ｔに倣うように形成されている。そして、開閉部５は、外装筐体２に対して回転されることによって、図１に示すように、投写用開口部２１１が開放された開放状態となる。
【００２９】
反射部６は、図１に示すように、開閉部５の外面５Ａと反対側の内面５Ｂ側に配置され、先端面５Ｃから飛び出す突出量が変更可能に開閉部５に支持されている。そして、反射部６は、開閉部５が回転される所定の範囲内で投写画像光を反射する。
【００３０】
ここで、開閉部５および反射部６について詳細に説明する。
図３は、開閉部５および反射部６を模式的に示す図であり、開閉部５の内面５Ｂ側から見た平面図である。
先ず、開閉部５について詳細に説明する。
開閉部５は、合成樹脂製であり、外装筐体２に回転可能に支持される。開閉部５は、図３に示すように、平面視において矩形状に形成され、凸部５１、係止部５２、規制部５３および回転軸５４が設けられている。
【００３１】
凸部５１は、開閉部５の±Ｘ方向の両端部にそれぞれ形成されており、内面５Ｂより帯状に突出している。係止部５２は、反射部６を段階的に係止するための部位であり、平面視において略三角形状に凹む形状を有し、両端部の凸部５１の対向する側の面に規則的に複数設けられている。規制部５３は、係止部５２が形成されている領域の端部に設けられており、凸部５１から突出し、内面５Ｂに対して所定の間隙を有するように形成されている。
【００３２】
回転軸５４は、開閉部５が外装筐体２に回転可能に支持される部位であり、凸部５１の両側面の縁部近傍から外側に向かってそれぞれ突出している。開閉部５は、回転軸５４が外装筐体２に形成された図示しない軸受けに挿入されて外装筐体２に回転可能に支持される。そして、開閉部５は、閉塞状態から外面５Ａが前面２Ｆに対して略直角となるまでの間で回転可能に構成されている。また、開閉部５は、反射部６が投写画像光を反射可能な範囲内で図示しない係合部等によって複数の段階を有して係止されるようになっている。
【００３３】
次に、反射部６について詳細に説明する。
反射部６は、開閉部５の内面５Ｂに沿って移動可能に支持される。
具体的に、反射部６は、図３に示すように、投写画像光を反射するミラー本体部６１およびミラー本体部６１を保持するミラー保持部６２を備えている。
ミラー本体部６１は、矩形のガラス製板材にアルミニウム等の膜が形成され、光束を効率よく反射するように構成されている。なお、ミラー本体部６１は、ガラス製に限らず、合成樹脂製で金属膜をメッキ等で形成するように構成してもよい。
【００３４】
ミラー保持部６２は、合成樹脂製であり、図３に示すように、平面視において略矩形状に形成され、ミラー本体部６１の外周を保持するように形成されている。ミラー保持部６２の±Ｘ側の両端部には、±Ｘ方向と交差する方向に延出する長孔が形成され、この長孔の外側となる薄肉部６２１、および薄肉部６２１の略中央部に形成された突起部６２２が設けられている。突起部６２２は、開閉部５の係止部５２に係合する部位であり、係止部５２とガタなく係合されるように形成されている。
【００３５】
反射部６は、両側の側端部が規制部５３と内面５Ｂとの間に挿入され、突起部６２２が係止部５２に係合されて開閉部５に支持される。反射部６は、±Ｘ方向と交差し内面５Ｂに沿った方向の力が加えられることによって、薄肉部６２１が撓んで開閉部５に対して移動し、突起部６２２が複数形成された係止部５２に順次係合可能となり、外部からの力が加わらない位置において開閉部５に係止される。そして、反射部６は、移動されることによって、先端面５Ｃから飛び出さない収納状態から最も飛び出す最大突出状態の間で突出量が段階的に変更可能になっている。なお、反射部６は、最大突出状態において、図示しない係止部によって、それ以上先端面５Ｃから飛び出さないようになっている。
【００３６】
ここで、開閉部５および反射部６の動作について説明する。
開閉部５は、前述したように閉塞状態および開放状態を有しており、開放状態においては、回転される角度によって、投写画像光を反射可能な反射状態、および投写画像光が反射部６に照射されず前方に投写される非反射状態が可能になっている。
【００３７】
図４〜図６は、プロジェクター１を模式的に示す図であり、机上等に設置された据置き姿勢におけるプロジェクター１を＋Ｘ方向から見た断面図である。具体的に、図４は、閉塞状態におけるプロジェクター１を示す図、図５は、反射状態におけるプロジェクター１を示す図、図６は非反射状態におけるプロジェクター１を示す図である。
【００３８】
図４に示すように、閉塞状態において、開閉部５は、前述したように、外面５Ａが外装筐体２の前面２Ｆ（図５参照）に倣い、先端面５Ｃが外装筐体２の上面２Ｔに倣うように配置される。そして、反射部６は、収納状態が可能となっている。
【００３９】
開閉部５は、閉塞状態から回転される所定の範囲内で反射状態となる。そして、反射部６は、図５に示すように、収納状態の位置（図５における二点鎖線）から開閉部５が回転された角度に応じた位置（図５における実線）まで引き出されると、投写画像光を反射することが可能となる。つまり、反射部６は、前方に向かって投写される投写画像光の方向に対して交差する方向に移動され、投写画像光を欠くことなく反射する。このように、反射部６は、開閉部５の内面５Ｂに沿って投写画像光の方向に対して交差する方向に移動可能に支持されている。
【００４０】
開閉部５は、反射状態からさらに回転されると、図６に示すように、非反射状態となり、プロジェクター１は、前方に配置された図示しないスクリーンに投写画像光を投写することが可能となる。
【００４１】
そして、開閉部５は、反射部６が収納状態に移動され、開放状態から投写用開口部２１１が閉塞される方向に回転されることによって、閉塞状態となる。なお、反射部６は、先端面５Ｃから飛び出した状態のまま閉塞状態に変更されると、図５に示すように、先端の回転軌跡Ｔ１が開閉部５の先端の回転軌跡Ｔ２より大きく、外装筐体２の上面２Ｔから飛び出すことになるが、収納状態に移動されることで、上面２Ｔから飛び出さず、コンパクトに収納される。
【００４２】
このように、プロジェクター１は、開閉部５が回転されることによって投写用開口部２１１が開閉され、開放状態においては、開閉部５が回転される角度によって、反射状態および非反射状態が変更される。そして、プロジェクター１は、反射状態において、開閉部５が回転される角度に応じて反射部６が移動されることによって、投写画像光の方向を変更し、非反射状態において、投写画像光の方向を変更せず前方に投写する。
【００４３】
以上説明したように、本実施形態のプロジェクター１によれば、以下の効果を得ることができる。
（１）反射部６は、閉塞状態においてコンパクトに収納され、反射状態においてサイズを有効に利用して投写画像光の方向を変更できる。よって、プロジェクター１は、効率的なサイズの反射部６を備え、設置姿勢が変更されることなく複数の方向に画像光を投写することができる。したがって、薄型化や小型化が図られつつ用途が広がるプロジェクター１の提供が可能となる。
【００４４】
（２）プロジェクター１は、閉塞状態において、投写用開口部２１１が開閉部５によって閉塞されるので、投写レンズ３６の保護が可能となると共に、投写用開口部２１１からの塵埃の進入が抑制されるので、投写される画像光の画質の劣化を抑制することが可能となる。
【００４５】
（３）反射部６は、投写画像光の方向に対して交差する方向に移動可能になっている。これによって、反射部６の位置を容易に投写画像光に合わせ、投写画像光を欠くことなく反射させることが可能となる。
【００４６】
（４）開閉部５および反射部６は、複数の段階で係止可能に構成されている。これによって、複数の方向に投写画像光を反射できるので、さらに用途の広がるプロジェクター１の提供が可能となる。
【００４７】
（第２実施形態）
次に、第２実施形態に係るプロジェクター１０について、図面を参照して説明する。
以下の説明では、第１実施形態と同様の構造および同様の部材には、同一符号を付し、その詳細な説明は省略または簡略化する。
本実施形態のプロジェクター１０は、第１実施形態の開閉部５および反射部６と構造が異なる開閉部１５および反射部１６を備え、反射部１６は、投写用開口部２１１が開放された際に、投写レンズ３６に近接する方向に移動可能になっている。
【００４８】
先ず、開閉部１５について詳細に説明する。
開閉部１５は、第１実施形態の開閉部５と同様に、外装筐体２に回転可能に支持され、閉塞状態、反射状態および非反射状態が可能に構成されている。
図７は、プロジェクター１０を模式的に示す図であり、反射状態におけるプロジェクター１０を＋Ｘ方向から見た断面図である。図８は、開閉部１５および反射部１６を模式的に示す図であり、開閉部１５の内面１５Ｂ側から見た平面図である。
【００４９】
開閉部１５は、図７、図８に示すように、ベース部１５１、付勢部としてのコイルバネ１５２および留め部１５３を備えている。
ベース部１５１は、合成樹脂製であり、図７、図８に示すように、平面視矩形状に形成され、内面１５Ｂから突出する円柱状の案内ピン１５１１、および両側面から突出する回転軸１５１２が設けられている。
【００５０】
案内ピン１５１１は、反射部１６の移動を案内する部位であり、両側面近傍に複数形成されている。回転軸１５１２は、第１実施形態の回転軸５４と同様に、外装筐体２に軸支される部位であり、開閉部１５は、この回転軸１５１２が外装筐体２に挿入されて回転可能に支持される。また、開閉部１５は、第１実施形態の開閉部５と同様に、外装筐体２に対して略９０°回転可能に形成され、反射状態において複数の段階を有して係止されるように構成されている。
【００５１】
コイルバネ１５２は、反射部１６を付勢する部材であり、複数の案内ピン１５１１にそれぞれ案内されてベース部１５１に組み込まれる。なお、本実施形態では、付勢部としてコイルバネ１５２を用いているが、板バネ等を用いて構成してもよい。
【００５２】
留め部１５３は、コイルバネ１５２によって付勢された反射部１６が案内ピン１５１１から脱落することを制止する部材である。留め部１５３は、案内ピン１５１１の径より大きな径を有して形成され、案内ピン１５１１の先端に取り付けられる。なお、案内ピン１５１１と留め部１５３とを一体的に形成し、この一体の部材をベース部１５１に取り付けるように構成してもよい。
【００５３】
次に、反射部１６について詳細に説明する。
反射部１６は、図８に示すように、投写画像光を反射するミラー本体部１６１およびミラー本体部１６１を保持するミラー保持部１６２を備えている。
ミラー本体部１６１は、第１実施形態のミラー本体部６１と同様に構成され、ミラー本体部６１より平面サイズが小さく形成されている。
【００５４】
ミラー保持部１６２は、合成樹脂製であり、図８に示すように、平面視において矩形状に形成され、ミラー本体部１６１の外周を保持するように形成されている。ミラー保持部１６２の端部近傍には、ベース部１５１の案内ピン１５１１が挿入され、留め部１５３の径より小さな径のガイド孔（図示省略）が形成されている。
【００５５】
反射部１６は、コイルバネ１５２がベース部１５１に組み込まれた後、ガイド孔に案内ピン１５１１が挿入され、反射部１６から飛び出した案内ピン１５１１の先端に留め部１５３が取り付けられて開閉部１５に組み込まれる。そして、反射部１６は、コイルバネ１５２によって内面１５Ｂから離間する方向に付勢され、反射状態および非反射状態においては、留め部１５３に当接して開閉部１５に支持される。反射部１６は、留め部１５３に当接した状態からコイルバネ１５２に抗する力が加えられることによって、案内ピン１５１１に案内されて内面１５Ｂに近接する方向に移動する。
【００５６】
ここで、開閉部１５および反射部１６の動作について説明する。
図９は、プロジェクター１０を模式的に示す図であり、閉塞状態におけるプロジェクター１０を＋Ｘ方向から見た断面図である。
反射部１６は、図９に示すように、閉塞状態においては、外装筐体２に当接して内面１５Ｂに近接するように配置されている。
閉塞状態から開閉部１５が回転されると、反射部１６は、外装筐体２に当接した状態でコイルバネ１５２に付勢されて内面１５Ｂから離間する距離が次第に大きくなる。つまり、反射部１６は、開閉部１５に対して相対的に投写レンズ３６に近接する方向に移動することとなる。そして、反射部１６は、図７に示すように、留め部１５３に当接して開閉部１５に対する移動が制止される。そして、開閉部１５は、第１実施形態と同様に、閉塞状態から回転される所定の範囲内で反射状態となり、反射部１６は、投写画像光を反射することが可能となる。このように、反射部１６は、投写用開口部２１１が開放された際に、開閉部１５から離間して投写レンズ３６に近接する方向に移動する。
【００５７】
一方、開放状態から開閉部１５が投写用開口部２１１を閉塞する方向に回転されると、反射部１６は、外装筐体２に当接して内面１５Ｂに近接する方向に移動し、閉塞状態となる。
【００５８】
なお、開閉部１５は、閉塞状態において、外装筐体に形成された図示しない係合部に係合して閉塞状態が維持される。また、外装筐体２には、閉塞状態において、案内ピン１５１１および留め部１５３が干渉しないよう開口部（図示省略）が設けられている。
【００５９】
投写画像光は、投写レンズ３６から離れるに従って拡大されるので、反射部１６は、投写レンズ３６に近いほど小さなサイズで投写画像光を反射することができる。つまり、投写レンズ３６に近接する方向に移動しない反射部１７を備える場合には、図７に示すように、投写画像光を欠くことなく反射するために、反射部１７は、開閉部１５の先端面１５Ｃから大きく飛び出すサイズが必要となる。一方、本実施形態の反射部１６では、開閉部１５の先端面１５Ｃから飛び出さないサイズで投写画像光を欠くことなく反射できる。
【００６０】
図示は省略するが、開閉部１５は、第１実施形態と同様に、反射状態からさらに回転されると、非反射状態となり、プロジェクター１０は、前方に配置されたスクリーンに投写画像光を投写することが可能となる。
【００６１】
このように、反射部１６は、投写用開口部２１１が開放された際に、投写レンズ３６に近接する方向に移動可能に開閉部１５に支持され、反射状態において投写画像光を反射する。
【００６２】
以上説明したように、本実施形態のプロジェクター１０によれば、第１実施形態の効果に加えて、以下の効果を得ることができる。
反射部１６は、開放状態において、投写レンズ３６に近接する方向に移動可能となっているので、より小さなサイズで投写画像光を反射できる。よって、反射部１６の小型化、ひいてはプロジェクター１０の小型化がさらに図れる。
【００６３】
（変形例）
なお、前記実施形態は、以下のように変更してもよい。
前記実施形態の開閉部５，１５は、段階的に係止されるように構成されているが、ダンパー等を用いて任意の位置で位置決めされるように構成してもよい。同様に、反射部６は、段階的に開閉部５に係止されるように構成されているが、任意の位置で位置決めされるように構成してもよい。
【００６４】
前記実施形態の開閉部５，１５は、反射状態において複数の段階で係止可能に構成されているが、反射状態において１箇所、例えば、据置き姿勢におけるミラー本体部６１，１６１の反射面が鉛直方向に対して略４５°傾斜する位置のみで係止されるように構成してもよい。さらにこの場合、第１実施形態の反射部６を移動させる付勢部を設けてもよい。
【００６５】
第２実施形態のコイルバネ１５２に替えて折り畳み式の機構を設け、この機構が操作されることによって、反射部１６が内面１５Ｂに対して近接離間するように構成してもよい。また、第２実施形態の反射部１６を開閉部１５に対して回転することで内面１５Ｂに対して近接離間するように構成してもよい。
【００６６】
非反射状態において、開閉部５，１５を外装筐体２の内部や下方に移動させて収納するように構成してもよい。
【００６７】
前記実施形態のプロジェクター１は、光変調素子として透過型の液晶パネル３５２を用いているが、反射型液晶パネルを利用したものであってもよい。また、光変調素子は、マイクロミラーアレイを用いたデバイス等を使用したものであってもよい。
【００６８】
前記実施形態の光源装置３１は、放電型の光源３１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００６９】
１，１０…プロジェクター、２…外装筐体、３…光学ユニット、５，１５…開閉部、６，１６，１７…反射部、３６…投写レンズ、５２…係止部、５４，１５１２…回転軸、６１，１６１…ミラー本体部、６２，１６２…ミラー保持部、１５１…ベース部、１５２…コイルバネ、１５３…留め部、２１１…投写用開口部、３１１…光源、３５２…液晶パネル、６２２…突起部、１５１１…案内ピン。
【図１】
2011145367.tif 000003
【図２】
2011145367.tif 000004
【図３】
2011145367.tif 000005
【図４】
2011145367.tif 000006
【図５】
2011145367.tif 000007
【図６】
2011145367.tif 000008
【図７】
2011145367.tif 000009
【図８】
2011145367.tif 000010
【図９】
2011145367.tif 000011